(57)【要約】【課題】本発明は、排泄物の漏れを抑制する吸収性物品を提供することを目的とする。【解決手段】本発明の吸収性物品１は、液透過性の表面シート２と、液不透過性の裏面シート３と、表面シート２と裏面シート３との間に配置される吸収体４と、を有する略縦長状の吸収性物品１である。吸収性物品１は、吸収性物品１における幅方向の略中央に形成される中央吸収部４０と、中央吸収部４０の両側部４１Ａ、４１Ｂに形成される支持部７Ａ、７Ｂであって該両側部４１Ａ、４１Ｂにおける前方域から後方域まで形成される支持部７Ａ、７Ｂとを備える。この支持部７Ａ、７Ｂは、吸収性物品１における長手方向に対して略平行に延びる略直線状又は緩やかな曲線状に形成される。【選択図】図１
2007125181.tif 000002
【特許請求の範囲】
【請求項１】
液透過性の表面シートと、液不透過性の裏面シートと、前記表面シートと前記裏面シートとの間に配置される吸収体と、を有する略縦長状の吸収性物品であって、
該吸収性物品における幅方向の略中央に形成される中央吸収部と、
前記中央吸収部の両側部に形成される支持部であって該両側部における前方域から後方域まで形成される支持部と、を備え、
前記支持部は、該吸収性物品における長手方向に対して略平行に延びる略直線状又は緩やかな曲線状に形成される吸収性物品。
【請求項２】
前記中央吸収部は、厚さ方向に突出可能に形成され、
前記支持部は、前記中央吸収部が突出した状態において、厚さ方向に対して所定角度をなすように傾いて、該中央吸収部における長手方向の前方域から後方域までを支持する請求項１に記載の吸収性物品。
【請求項３】
前記支持部は、前記前方域において略直線状であり、前記前方域と前記後方域との間である中央域において前記幅方向の外側にふくらむ緩やかな曲線状であり、前記後方域において略直線状である請求項１又は２に記載の吸収性物品。
【請求項４】
前記支持部は、前記中央吸収部の側部における長手方向の距離に対する、前記支持部の前記長手方向における距離の比で示される吸収部支持指数が０．８０以上である請求項１から３のいずれかに記載の吸収性物品。
【請求項５】
前記中央吸収部を囲むように所定の圧着部が連続的に形成されてなる第１の防液溝と、前記第１の防液溝の外側に前記圧着部が連続的に形成されてなる第２の防液溝と、を備え、
前記第１の防液溝は、前記長手方向における前方側に突出する略Ｕ字状に形成される前方側Ｕ字部と、前記前方側Ｕ字部の両端から連続するようにそれぞれ長手方向に延びる内側方部と、前記内側方部における後方側端部を繋ぐと共に前記長手方向における後方側に突出する略Ｕ字状に形成される後方側Ｕ字部と、を備え、
前記第２の防液溝は、前記内側方部と略等間隔で長手方向に延びるように形成される外側方部と、前記外側方部の後方側端部を繋ぐと共に前記長手方向における後方側に突出する略Ｕ字状に形成される外側Ｕ字部と、を備え、
前記支持部は、前記内側方部と前記外側方部との間に形成される請求項１から４のいずれかに記載の吸収性物品。
【請求項６】
前記支持部は、前記中央吸収部に対して前記吸収体が高密度に配置されてなる請求項５に記載の吸収性物品。
【請求項７】
前記中央吸収部は、低剛性化された低剛性部を備える請求項１から６のいずれかに記載の吸収性物品。
【請求項８】
前記裏面シートの外面側に前記長手方向に延びるように形成される略帯状の粘着部と、を更に備え、
前記粘着部は、前記幅方向における前記第２の防液溝の位置よりも外側の位置に形成される請求項５から７のいずれかに記載の吸収性物品。
【請求項９】
前記粘着部は、前記長手方向における前方側に形成される前方粘着部と、前記長手方向における後方側に形成される後方粘着部と、前記前方粘着部と前記後方粘着部との間に形成される非粘着部と、を備える請求項８に記載の吸収性物品。
【請求項１０】
前記非粘着部は、略前記中央域に形成される請求項９に記載の吸収性物品。
【発明の詳細な説明】
【技術分野】
【０００１】
本発明は、吸収性物品に関する。
【背景技術】
【０００２】
生理中の女性が就寝時などに着用するのに適した生理用ナプキンとして、縦方向の寸法が長く、前方に横方向両側に突出する折り返しフラップ部が設けられているとともに、後方において横方向両側に突出する後方フラップ部が設けられたものが使用されている。更に、肌側表面に防漏壁（ギャザー）を形成することで効果的に漏れを抑制する生理用ナプキンが使用されている。
【０００３】
ここで、後方への漏れを好適に抑制するため、例えば、図８における下着のクロッチ部に巻き付ける折り返しフラップ部８１０の後方に後方フラップ部（ヒップ部）８２０が形成され、後方フラップ部（ヒップ部）８２０は製品縦方向中心線とほぼ平行な側縁を有しており、また後方フラップ部（ヒップ部）８２０の前方に後方感圧接着剤層８５５が設けられ、この後方感圧接着剤層８５５は、防漏壁（ギャザー）８３０の後端および主吸収領域（ヒンジ）８７０の後端部よりも前方に設けられた生理用ナプキンが提案されている（例えば、特許文献１参照）。
【０００４】
また、排泄部からの排泄物を確実に補足するためには、肌側表面を身体の排泄部に密着させることが望まれる。例えば、中央部分に吸収体の厚みを大きくした隆起部を設けること等により、排泄部に密着するように構成された生理用ナプキンが使用されている。
【０００５】
ここで、排泄部への密着性を向上させるため、例えば、図９における中央吸収部９４０の両側に第１の圧着部（外ヒンジ）と第２の圧着部（内ヒンジ）が設けられ、外ヒンジと内ヒンジとで挟まれた部分に密度が高く剛性の高い支持部が設けられた生理用ナプキンであって、下着のクロッチ布に装着した状態で、大腿部から横向きの圧縮力を受けると、外ヒンジと内ヒンジで折れ曲がり、支持部が中央吸収部の下に入り込んで、中央吸収部を身体の排泄部に密着するように押し上げる機能を発揮する生理用ナプキンが提案されている（例えば、特許文献２参照）。
【特許文献１】特開２００５−７１４４号公報
【特許文献２】特開２００４−１５４１５３号公報
【発明の開示】
【発明が解決しようとする課題】
【０００６】
特許文献１では、後方感圧接着剤層８５５でヒップ部がしっかり固定されるため、防漏壁（ギャザー）８３０は動き難く、防漏壁（ギャザー）８３０およびその外側に位置するヒップ部で斜め後方へのもれを有効に抑制できる。すなわち、防漏壁（ギャザー）８３０の内側への入り込みを防止し、吸収面を広く露出させると共に、後方感圧接着剤層８５５をギャザー固定シールやヒンジよりも前方に配置することでショーツにしっかりと固定し、ショーツの緊迫力による後方部の入り込みを抑制している。しかし、仰向けでの寝姿勢になると、ナプキン後方部は体圧により潰されてしまう為、ギャザーは起立せず、斜め後ろからの漏れ等は抑制出来ない場合がある。
【０００７】
また、特許文献２では、中央吸収部９４０を押し上げるようにして排泄部に密着させるため、排泄物を好適に吸収することができる。すなわち、外ヒンジ９１０と内ヒンジ９２０とで挟まれた部分に密度が高く剛性の高い支持部９３０が設けられている。支持部９３０は、大腿部から横向きの圧縮力を受けると、外ヒンジ９１０と内ヒンジ９２０で折れ曲がり、支持部９３０が中央吸収部９４０の下に入り込んで、中央吸収部９４０を身体の排泄部に密着するように押し上げる機能を発揮する。これにより、中央吸収部９４０が排泄部に密着するため、好適に排泄物を吸収し漏れを抑制できる。ここで、支持部９３０の対向間隔が中央において横方向基準線の位置で最も狭くなり、支持部９３０は、横方向基準線から縦方向の両側へ離れるにしたがって縦方向中心線から徐々に離れるように形成されているが、このような形状では、中央吸収部における後方に、大腿部により受ける横向きの圧縮力を伝えることが困難であった。そして、これらが本発明の課題といってよい。
【０００８】
本発明は、以上のような課題に鑑みてなされたものであり、排泄物の漏れを抑制する吸収性物品を提供することを目的とする。
【課題を解決するための手段】
【０００９】
本発明者らは、上記目的を達成するため、排泄物を主に吸収する中央吸収部の側部に形成される支持部を、略直線状又は緩やかな曲線状に形成することで、中央吸収部の長手方向における前方域や中央域だけではなく、後方域までを排泄部に密着させることができ、好適に排泄物の漏れを抑制できることを見出し、以下のような吸収性物品を発明した。
【００１０】
（１）  液透過性の表面シートと、液不透過性の裏面シートと、前記表面シートと前記裏面シートとの間に配置される吸収体と、を有する略縦長状の吸収性物品であって、該吸収性物品における幅方向の略中央に形成される中央吸収部と、前記中央吸収部の両側部に形成される支持部であって該両側部における前方域から後方域まで形成される支持部と、を備え、前記支持部は、該吸収性物品における長手方向に対して略平行に延びる略直線状又は緩やかな曲線状に形成される吸収性物品。
【００１１】
（１）の発明によれば、吸収性物品は、該吸収性物品における幅方向の略中央に形成される中央吸収部と、中央吸収部の両側部に形成される支持部であって該両側部における前方域から後方域まで形成される支持部と、を備え、支持部は、該吸収性物品における長手方向に対して略平行に延びる略直線状又は緩やかな曲線状に形成される。これにより、例えば、支持部に対して前方域や中央域で加えられる幅方向内側への力を、後方域まで伝えることができる。言い換えると、例えば、大腿部から幅方向内側に加えられる力により、支持部が厚さ方向に傾いて中央吸収部を下方（下着側）から支持する場合において、大腿部により力が加えられる前方域や中央域における中央吸収部だけではなく、後方域における中央吸収部まで排泄部（身体）側に押し上げられ、排泄物の漏れを好適に抑制することができる。
【００１２】
支持部は、中央吸収部の両側部における前方域から後方域まで形成される。つまり、中央吸収部を長手方向に３分割した場合における前方側である前方域の所定位置から、中央である中央域をまたがり、後方側である後方域の所定位置まで形成される。中央吸収部の側部を全体的に支持できるように形成されている。
【００１３】
支持部は、該吸収性物品における長手方向に略平行に略直線状又は緩やかな曲線状に形成される。これは、上述の通り、前方域や中央域において幅方向内側に加えられる力を後方域に伝えることができるようにするためである。例えば、前方域や中央域における支持部の形状が、幅方向における中心側に湾曲した急な曲線である場合には、前方域や中央域において幅方向内側に加えられた力は後方域まで伝わらない。つまり、後方域における中央吸収部を排泄部側に押し上げることができない。ここで、支持部を長手方向に略平行に略直線状又は緩やかな曲線状に形成することで、後方域まで力を伝えることができ、後方域における中央吸収部を排泄部側に押し上げることができる。
【００１４】
支持部は、例えば、大腿部により加えられる力により変形しないよう所定の剛性を有する。所定の剛性を有するために、例えば、所定の部材を配置することや、所定の高剛性化処理をすることもできる。前記剛性を有する部材としては、例えば、厚紙や薄板状の樹脂等を例示できる。また、剛性を高める処理とは、例えば、所定の圧縮処理や接着剤を所定領域に塗布する処理等があげられる。また、例えば、後述するように支持部における吸収体を高密度で配置することで所定の剛性を有する支持部を形成することもできる。
【００１５】
本発明における吸収性物品は、例えば、身体を横にした状態である寝姿勢で使用する場合に好適に排泄物の漏れを抑制することができる。特に、吸収性物品における後方側からの排泄物の漏れを好適に抑制することができる。本発明の吸収性物品は、例えば、就寝時用の吸収性物品として好適に使用することができる。
【００１６】
（２）  前記中央吸収部は、厚さ方向に突出可能に形成され、前記支持部は、前記中央吸収部が突出した状態において、厚さ方向に対して所定角度をなすように傾いて、該中央吸収部における長手方向の前方域から後方域までを支持する（１）に記載の吸収性物品。
【００１７】
（２）の発明によれば、吸収性物品は、中央吸収部が厚さ方向に突出可能に形成され、支持部が、中央吸収部が突出した状態において、厚さ方向に対して所定角度をなすように傾いて中央吸収部における長手方向の前方域から後方域までを支持する。これにより、中央吸収部の前方域から後方域までが排泄部側に押し上げられるので、排泄部からの排泄物を確実に吸収すると共に、後方側からの排泄物の漏れを抑制することができる。
【００１８】
（３）  前記支持部は、前記前方域において略直線状であり、前記前方域と前記後方域との間である中央域において前記幅方向の外側にふくらむ緩やかな曲線状であり、前記後方域において略直線状である（１）又は（２）に記載の吸収性物品。
【００１９】
（３）の発明によれば、吸収性物品における支持部が、前方域においては略直線状であり、前方域と後方域との間である中央域においては幅方向の外側にふくらむ緩やかな曲線状であり、後方域においては略直線状である。支持部がこのように、吸収性物品における長手方向に略平行に、略直線状及び緩やかな曲線状に形成されることで、上述の通り、前方域や中央域において大腿部等により加えられる幅方内側へ力を、後方域に伝えることができる。これにより、後方域における中央吸収部を排泄部側に押し上げることができるので、排泄物の後方側からの漏れを好適に抑制することができる。
【００２０】
（４）  前記支持部は、前記中央吸収部の側部における長手方向の距離に対する、前記支持部の前記長手方向における距離の比で示される吸収部支持指数が０．８０以上である（１）から（３）のいずれかに記載の吸収性物品。
【００２１】
（４）の発明によれば、吸収性物品が、中央吸収部の側部における長手方向の距離に対する、支持部の長手方向における距離の比で示される吸収部支持指数が０．８０以上、好ましくは０．８５以上、更に好ましくは０．９０以上である。吸収部支持指数が０．８０以上になるように構成することで、中央吸収部における側部を全体的に支持することができる。これにより、中央吸収部が厚さ方向に突出した状態において、該中央吸収部の側部を全体的に下方（下着側）から支持することができる。
【００２２】
（５）  前記中央吸収部を囲むように所定の圧着部が連続的に形成されてなる第１の防液溝と、前記第１の防液溝の外側に前記圧着部が連続的に形成されてなる第２の防液溝と、を備え、前記第１の防液溝は、前記長手方向における前方側に突出する略Ｕ字状に形成される前方側Ｕ字部と、前記前方側Ｕ字部の両端から連続するようにそれぞれ長手方向に延びる内側方部と、前記内側方部における後方側端部を繋ぐと共に前記長手方向における後方側に突出する略Ｕ字状に形成される後方側Ｕ字部と、を備え、前記第２の防液溝は、前記内側方部と略等間隔で長手方向に延びるように形成される外側方部と、前記外側方部の後方側端部を繋ぐと共に前記長手方向における後方側に突出する略Ｕ字状に形成される外側Ｕ字部と、を備え、前記支持部は、前記内側方部と前記外側方部との間に形成される（１）から（４）のいずれかに記載の吸収性物品。
【００２３】
（５）の発明によれば、吸収性物品は、支持部が、中央吸収部を囲むように形成される第１の防液溝と、該第１の防液溝の外側に形成される第２の防液溝との間に形成される。これにより、中央吸収部の側部に沿って支持部を形成することができる。更に、支持部における側部に形成される第１の防液溝及び第２の防液溝が、所定の折り曲げ部として機能して、支持部が、中央吸収部が突出した状態において、好適に厚さ方向に対して所定角度をなすように傾いて、該中央吸収部における長手方向の前方域から後方域までを支持することができる。また、このように構成することで、特定の部材を配置等することなく支持部を形成することができる。また、例えば、後述するように、支持部における支持体の密度を高密度にすることで、所定の剛性を有する支持部を形成することができる。
【００２４】
（６）  前記支持部は、前記中央吸収部に対して前記吸収体が高密度に配置されてなる（５）に記載の吸収性物品。
【００２５】
（６）の発明によれば、吸収性物品は、支持部が、中央吸収部に対して吸収体が高密度に配置されてなる。これにより、支持部は、中央吸収部における剛性よりも高い剛性を備えるので、例えば、支持部における前方域や中央域において幅方向内側に加えられた力により大きく変形することなく、厚さ方向に所定の角度をなすように傾いて、中央吸収部を排泄部側に押し上げると共にこれを支持することができる。
【００２６】
（７）  前記中央吸収部は、低剛性化された低剛性部を備える（１）から（６）のいずれかに記載の吸収性物品。
【００２７】
（７）の発明によれば、吸収性物品は、中央吸収部が、低剛性化された低剛性部を備える。例えば、低剛性部は、中央吸収部における該低剛性部に隣接する領域に対して低剛性である領域をいう。例えば、所定領域にスリットを形成することや切り込みを入れること等の他、中央吸収部における所定領域における目付けを減らす等により、低剛性化することができる。
【００２８】
（８）  前記裏面シートの外面側に前記長手方向に延びるように形成される略帯状の粘着部と、を更に備え、前記粘着部は、前記幅方向における前記第２の防液溝の位置よりも外側の位置に形成される（５）から（７）のいずれかに記載の吸収性物品。
【００２９】
（８）の発明によれば、吸収性物品は、裏面シートの外面側に長手方向に延びるように形成される略帯状の粘着部と、を更に備え、粘着部は、幅方向における第２の防液溝の位置よりも外側の位置に形成される。これにより、吸収性物品が粘着部により下着等に固定されると共に、幅方向における第２の防液溝の外側で固定されるので、例えば、大腿部から加えられる力を逃がすことなく支持部に伝えると共に、第１の防液溝及び第２の防液溝において好適に折れ曲がって支持部を所定角度に傾けることができる。また、粘着部は、幅方向における第２の防液溝の位置の外側に配置されるが、これは粘着部のすべてが完全に第２の防液溝の外側に形成される場合だけでなく、実質上、第２の防液溝の折れ曲がりを妨げない態様で、第２の防液溝に重なる場合も含むものである。
【００３０】
（９）  前記粘着部は、前記長手方向における前方側に形成される前方粘着部と、前記長手方向における後方側に形成される後方粘着部と、前記前方粘着部と前記後方粘着部との間に形成される非粘着部と、を備える（８）に記載の吸収性物品。
【００３１】
（９）の発明によれば、吸収性物品は、粘着部が、長手方向における前方側に形成される前方粘着部と、長手方向における後方側に形成される後方粘着部と、前方粘着部と前記後方粘着部との間に形成される非粘着部とを備える。これにより、長手方向における前方側の前方粘着部と、長手方向における後方側の後方粘着部とで吸収性物品のずれを防止すると共に、非粘着部を設けることで、非粘着部の近傍領域における身体への密着性と追従性を向上させることができる。
【００３２】
（１０）  前記非粘着部は、略前記中央域に形成される（９）に記載の吸収性物品。
【００３３】
（１０）の発明によれば、吸収性物品は、非粘着部が、略前記中央域に形成される。非粘着部が、中央吸収部における排泄部に当接する領域である中央域に形成されるので、排泄部へ密着性と追従性を向上させることができる。
【発明の効果】
【００３４】
本発明によれば、排泄物の漏れを抑制する吸収性物品を提供することができる。
【発明を実施するための最良の形態】
【００３５】
以下、図面を参照して本発明を実施するための最良の形態を説明する。
【００３６】
図１は、本発明の第１実施形態における吸収性物品の平面図である。図２は、本発明の第１実施形態における吸収性物品の断面図である。図３は、本発明の第１実施形態における吸収性物品の斜視図である。図４は、第１実施形態における吸収性物品の動きを説明するための断面図である。図５は、図４において、幅方向内側へ力Ｆが加えられた場合の動きを説明する断面図である。図６は、本発明の第２実施形態における吸収性物品の平面図である。図７は、第３実施形態における吸収性物品の平面図である。図８は、従来技術における吸収性物品の平面図である。図９は、従来技術における吸収性物品の平面図である。
【００３７】
［１］吸収性物品の全体構造
本発明の第１実施形態における吸収性物品１により、本発明の吸収性物品における全体構造について説明する。
【００３８】
［１．１］全般
図１及び図２に示すように、本発明の吸収性物品１は略縦長状であって、液透過性の表面シート２と、液不透過性の裏面シート３と、表面シート２と裏面シート３との間に配置される吸収体４とを備える。
【００３９】
吸収性物品１は、長手方向における後方側に長い吸収性物品であり、具体的には尾てい骨まで覆うような後方側に長い吸収性物品である。この吸収性物品１の長手方向における長さは、２９０ｍｍから４２０ｍｍ、好ましくは３３０から４００ｍｍを例示できる。この例示した長さの吸収性物品１は、例えば、就寝時における寝姿勢時（例えば、夜用として）において好適に使用することができる。
【００４０】
表面シート２は、使用時には身体側に配置されると共に排泄部に当接される。排泄部から排泄される経血等の排泄物は、表面シート２を透過して、吸収体４に吸収される。下着側に配置される裏面シート３は液不透過性であるので、排泄物は下着側には透過せず、吸収体４に吸収された状態で保持される。
【００４１】
表面シート２と吸収体４とは、ホットメルト接着剤等により貼り合わされるようにして固定される。また、裏面シート３と吸収体４も、同様にホットメルト接着剤等により貼りあわされるようにして固定される。また、表面シート２と裏面シート３とは、ホットメルト接着剤及びヒートシールにより貼り合わされるようにして接合される。
【００４２】
［１．２］中央吸収部及び支持部
吸収性物品１は、幅方向における略中央に形成される中央吸収部４０と、中央吸収部４０の両側部４１Ａ、４１Ｂに形成される支持部７Ａ、７Ｂとを備える。この支持部７Ａ、７Ｂは、該両側部４１Ａ、４１Ｂにおける前方域から後方域まで形成される。
【００４３】
中央吸収部４０は、排泄部からの排泄物を主に吸収する領域であり、該中央吸収部４０における所定部において排泄部と当接する。中央吸収部４０は、吸収性物品１における厚さ方向に突出可能に形成され、例えば、使用時においては身体側に突出するように押し上げられ排泄部に密着する。ここで、中央吸収部４０は、排泄部に対する密着性及び身体の動きに対する追従性を向上させるために、後述する低剛性部４５を形成することもできる。
【００４４】
中央吸収部４０は、例えば、後述のように、表面シート２と吸収体４とを互いに積層配置した状態で所定領域を圧着処理することで形成することができる。
【００４５】
支持部７Ａ、７Ｂは、中央吸収部４０における両側部４１Ａ、４１Ｂに沿うように形成される。支持部７Ａ、７Ｂは、中央吸収部４０における両側部４１Ａ、４１Ｂの長手方向の前方域から後方域まで形成される。これにより、中央吸収部４０が、例えば、厚さ方向における身体側に突出した状態においては、該中央吸収部４０の両側部４１Ａ、４１Ｂを全体的に支持することができる。
【００４６】
例えば、支持部７Ａ、７Ｂは、中央吸収部４０の側部における長手方向の距離に対する、支持部７Ａ、７Ｂの長手方向における距離の比で示される吸収部支持指数（＝ａ／ｂ）が０．８０以上、好ましくは０．８５以上、更に好ましくは０．９０以上となるように構成することができる。例えば、吸収部支持指数が０．８０以上になるように構成することで、支持部７Ａ、７Ｂにより中央吸収部４０における両側部４１Ａ、４１Ｂを全体的に支持することができる。これにより、中央吸収部４０が厚さ方向に突出した状態において、該中央吸収部４０の両側部４１Ａ、４１Ｂを全体的に下方（下着側）から支持することができる。
【００４７】
更に、支持部７Ａ、７Ｂは、中心線Ｌに略等幅で形成され、吸収性物品１における長手方向に対して略平行に延びる略直線状又は緩やかな曲線状にそれぞれ形成される。特に、中央域から後方域においては、支持部７Ａ、７Ｂの対向間隔が均一なまま、湾曲せず略直線的に連続している。支持部７Ａ、７Ｂを、このような形状に形成することで、例えば、中央吸収部４０における前方域や中央域において大腿部により幅方向内側に力Ｆが加えられた場合における力Ｆが、支持部７Ａ、７Ｂにおける前方域や中央域だけではなく後方域にも伝えられる。これにより、中央吸収部４０は、前方域や中央域だけではなく後方域も身体側に押し上げられるので、後方側からの排泄物の漏れを抑制することができる。
【００４８】
支持部７Ａ、７Ｂは、上述の通り、前方域から後方域まで形成されるが、例えば、下着に装着した場合においては、該下着におけるクロッチの中心になると想定される位置から尾てい骨付近までを想定して形成することができる。
【００４９】
また、例えば、ウィング１００を基準にした場合には、支持部７Ａ、７Ｂにおける前方側の端部７Ｐが、ウィング１００の長手方向におけるウィング中心１００Ｐを基準として５０ｍｍから６０ｍｍだけ前方側の位置であり、後方側の端部７Ｑが、ウィング１００の中心位置であるウィング中心１００Ｐから１４０ｍｍから１６０ｍｍだけ後方側の位置となるように形成することができる。
【００５０】
［１．３］防液溝及び支持部
本実施形態においては、吸収性物品１は、中央吸収部４０を囲むように圧着部９０が連続的に形成されてなる第１の防液溝５と、第１の防液溝５の外側に形成される第２の防液溝６を備える。そして、支持部７Ａ、７Ｂは、第１の防液溝５と第２の防液溝６との間に形成される。
【００５１】
第１の防液溝５は、長手方向における前方側に突出する略Ｕ字状に形成される前方側Ｕ字部５１と、前方側Ｕ字部５１の両端から連続するようにそれぞれ長手方向に延びる内側方部５０Ａ、５０Ｂと、内側方部５０Ａ、５０Ｂにおける後方側端部を繋ぐと共に長手方向における後方側に突出する略Ｕ字状に形成される後方側Ｕ字部５３と、を備える。
【００５２】
第１の防液溝５は、全体として縦長の略楕円状であって、中央吸収部４０を囲むように形成される。第１の防液溝５は、支持部７Ａ、７Ｂが厚さ方向に対して所定の角度をなすように傾いて中央吸収部４０を下方（下着側）から支持する際において、折り曲げ部として機能して、該一連の動作をスムーズに行わせることができる。具体的には、第１の防液溝５と第２の防液溝６とで折れ曲がり、支持部７Ａ、７Ｂが中央吸収部４０の下側（下着側）に入り込むように傾いて、中央吸収部４０を身体の排泄部に密着させるように押し上げる機能を発揮する。特に、支持部７Ａ、７Ｂが中央吸収部４０の両側部４１Ａ、４１Ｂの前方域から後方域まで、略直線状又は緩やかな曲線状に形成される場合には、前方域や中央領域で中央吸収部４０が受けた大腿部から横向きの力Ｆをそのまま後方域に伝達できる様になっている。これにより、中央吸収部４０と身体との隙間が出来にくくすることができ、例えば、後方側からの排泄物の漏れを抑制することができる。
【００５３】
第２の防液溝６は、第１の防液溝５における内側方部５０Ａ、５０Ｂの外側に略等間隔で長手方向に延びるように形成される外側方部６０Ａ、６０Ｂと、外側方部６０Ａ、６０Ｂの後方側端部を繋ぐと共に長手方向における後方側に突出する略Ｕ字状に形成される外側Ｕ字部６３と、を備える。
【００５４】
第２の防液溝６は、全体として略Ｕ字状であって、第１の防液溝５の外側に形成される。第２の防液溝６は、第１の防液溝５と同様に折り曲げ部として機能して、第１の防液溝５と共に前記一連の動作をスムーズに行わせることができる。
【００５５】
第１の防液溝５における後方側Ｕ字部５３はその突端部５３Ｐが、例えば、ウィング１００の長手方向における中心であるウィング中心１００Ｐから１６０ｍｍから１８０ｍｍの位置に形成することができる。この場合において、ウィング中心１００Ｐから１６０ｍｍ以下の距離に突端部５３Ｐがくるように後方側Ｕ字部５３を形成すると、尾てい骨よりも前に該後方側Ｕ字部５３が配置されるため、使用時において吸収性物品１が突っ張ってしまい、吸収性物品１が身体にフィットせず、身体との間に隙間が出来てしまうため、例えば、後方側から漏れが発生し易くなる。逆に、この距離が１８０ｍｍ以上だと、第１の防液溝５における後方側Ｕ字部５３による剛直感が無くなるため、吸収性物品１がヘタってしまい、例えば、後方側からの漏れが発生しやすくなる。
【００５６】
第２の防液溝６における前方側の端は、例えば、ウィング１００の長手方向における中心であるウィング中心１００Ｐを基準として５０ｍｍから６０ｍｍだけ前方の位置とすることができる。
【００５７】
ここで、支持部７Ａ、７Ｂは、内側方部５０Ａ、５０Ｂと外側方部６０Ａ、６０Ｂとの間に形成することができる。支持部７Ａ、７Ｂを、内側方部５０Ａ、５０Ｂと外側方部６０Ａ、６０Ｂとの間に形成することで、支持部７Ａ、７Ｂを、中央吸収部４０の両側部４１Ａ、４１Ｂに沿うように形成することができる。更に、このように形成することで、支持部７Ａ、７Ｂの両側部に沿うように、折り曲げ部として機能する第１の防液溝５及び第２の防液溝６を配置することができる。これにより、上述のように、支持部７Ａ、７Ｂにおける中央吸収部４０を支持する一連の動作をスムーズに行わせることができる。
【００５８】
また、吸収性物品１における通常の製造工程に大きな変更を加えることなく支持部７Ａ、７Ｂを構成することができる。
【００５９】
また、支持部７Ａ、７Ｂは、中央吸収部４０に対して吸収体４を高密度で配置することで、所定の剛性を得ることができる。これにより、支持部７Ａ、７Ｂは、例えば、大腿部により幅方向内側に加えられる力Ｆにより変形しないような剛性を備えることができる。
【００６０】
本実施形態においては、中央吸収部４０における密度が０．０５０から０．１５０ｇ／ｃｍ３の場合を例示でき、これに対する支持部７Ａ、７Ｂにおける密度が０．１００から０．５００ｇ／ｃｍ３、好ましくは０．１２５から０．２００ｇ／ｃｍ３にした場合を例示できる。ここで、本実施形態において、支持部７Ａ、７Ｂにおける吸収体４の密度は、中央吸収部４０における吸収体４の密度に対して高くなるように設定される。
【００６１】
また、例えば、上記密度における目付けとして、中央吸収部４０における目付けが４００から１２００ｇ／ｍ２、好ましくは５００から１０００ｇ／ｍ２のであり、これに対する支持部７Ａ、７Ｂにおける目付けが３００から８００ｇ／ｍ２、好ましくは３５０から６００ｇ／ｍ２である場合を例示できる。
【００６２】
ここで、中央吸収部４０における上記密度及び目付けの条件を満たす場合には、排泄部に当接する際における柔軟性が高く、かつ、十分な液吸収性量を確保することができる。
また、支持部７Ａ、７Ｂが、上記密度及び目付けの条件を満たす場合には、力Ｆにより大きく変形することなく、中央吸収部４０を好適に押し上げて支持することができる。
【００６３】
［１．４］粘着部
裏面シート３における外側面（下着側に向く面）に、長手方向に延びるように略帯状の粘着部８が形成される。この粘着部８により、吸収性物品１を下着等に固定することで、吸収性物品１のずれを防止することができるので、好適に排泄物の漏れを抑制することができる。
【００６４】
また、粘着部８は、第２の防液溝６の幅方向における外側に形成される。粘着部８が、幅方向において、折り曲げ部として機能する第２の防液溝６の外側に形成されることで、支持部７Ａ、７Ｂが厚さ方向に対して所定角度をなすように傾いて、中央吸収部４０の下方側から支持するという一連の動作をスムーズに行わせることができる。
【００６５】
ここで、粘着部８は、吸収性物品１における長手方向の略全域に形成することも、一部に形成することもできる。例えば、後述するように中央域に粘着部８を構成する所定の粘着体を配置しない領域を形成することで、中央吸収部４０における所定領域の身体への追従性を向上させることもできる。
【００６６】
［１．５］使用態様
図３から図５により、第１実施形態における本発明の吸収性物品により、本発明の吸収性物品における使用態様の一例について説明する。
【００６７】
図３により、本実施形態における吸収性物品１の使用態様例として、就寝時における寝姿勢における使用態様を説明する。図３に示すように、寝姿勢における使用状態においては、吸収性物品１における後方側８６０が床面と略平行に配置され、前方側８４０が該吸収性物品１における後方側８６０に対して所定角度をなすように、言い換えると、床面に対して所定の角度をなすようにして配置される。
【００６８】
就寝時等における寝姿勢では、排泄部は、床面に対して略直角方向に向くので、排泄物は床面側に流れやすくなる。排泄部からの排泄物は、床面と略垂直に配置される前方側８４０における中央吸収部４０の略前方域において吸収されるが、長時間、図３に示すような状態にあるため、排泄物は、身体を伝って後方側８６０に流れる場合がある。ここで、本発明における吸収性物品１については、中央吸収部４０を身体側に押し上げるようにして密着させることで、特に、前方側８４０における中央吸収部４０だけではなく、後方側８６０における中央吸収部４０も押し上げて身体と密着させることで、好適に排泄物の漏れを抑制する。以下に、中央吸収部４０が身体側に押し上げられる動作を、図４及び５により説明する。
【００６９】
図４に示すように、吸収性物品１を下着等に装着した状態では、中央吸収部４０は、全体的に略水平な形状である。そして、中央吸収部４０を排泄部に当接するようにして吸収性物品１を装着した状態において、幅方向内側に大腿部等による所定の力Ｆを受けることで、図５に示すように、吸収性物品１は全体的に幅方向において収縮し、支持部７Ａ、７Ｂは厚さ方向に対して所定の角度をなすように傾いて中央吸収部４０の下方（下着側）から中央吸収部４０を身体側（矢印Ｓ方向）に押し上げるようにして支持する。ここで、中央吸収部４０を排泄部に押し上げるようにして密着させることができるため、排泄部近傍においては好適に排泄物を吸収できるが、例えば、中央吸収部４０に力Ｆが集中した場合に、中央吸収部４０における幅方向の中心を起点として下着側に凸型に変形して、吸収性物品１と身体との隙間ができ、後方側からの漏れが発生する場合がある。
【００７０】
本実施形態の吸収性物品１における支持部７Ａ、７Ｂは、中央吸収部４０の両側部４１Ａ、４１Ｂにおける前方域から後方域まで、長手方向に対して略平行に略直線状又は緩やかな曲線状に形成されているので、支持部７Ａ、７Ｂの前方域や中央域において加えられた力Ｆが、途中で逃げることなく後方域まで伝わり、後方側８６０における中央吸収部４０の後方域も身体側に押し上げることができる。これにより、排泄物の漏れを抑制することができる。特に、後方側からの排泄物の漏れを抑制することができる。
【００７１】
［２］第２実施形態
図６に示すように、第２実施形態における吸収性物品１Ａは、第１実施形態における吸収性物品１における中央吸収部４０に、所定の低剛性部４５が形成された吸収性物品１である。
【００７２】
中央吸収部４０において形成される低剛性部４５は、該低剛性部４５に隣接する領域に対して低剛性化されている領域であり、例えば、スリットの形成や所定の切り込みを入れることにより形成される。また、例えば、吸収体４を低目付化することで形成することができる。
【００７３】
吸収体４を低目付化して形成された低剛性部４５は、例えば、隣接する周囲の領域における目付けが３５０から４５０ｇ／ｍ２に対して、１５０から２５０ｇ／ｍ２に低目付化して形成することができる。上記のように低目付化した場合、中央吸収部４０の所定領域について低剛性化すると共に、十分な吸収性を確保することができる。
【００７４】
低剛性部４５は、例えば、中心線Ｌから両側に各５ｍｍから１０ｍｍ（全体では１０ｍｍから２０ｍｍ）の幅に形成することができる。この領域が最も身体にフィットし難い領域であり（会陰部）、追従性が求められる領域である。また、長手方向においては、例えば、中央吸収部４０における中央域から後方域にかけて低剛性化することができる。
【００７５】
このように低剛性部４５を形成した中央吸収部４０は、力Ｆ等を受けた時に変形し易く、例えば、会陰部から尾てい骨付近のフィット性が更に向上する。そのため、仰向けでの寝姿勢に多く発生する後ろ漏れや斜め後ろ漏れを抑制することができる。
【００７６】
［３］第３実施形態
図７に示すように、本実施形態における吸収性物品１は、第１実施形態における吸収性物品１における粘着部８が、長手方向における中央部に粘着体が配置されていない非粘着部８３が形成された吸収性物品１Ｂである。
【００７７】
粘着部８は、中央吸収部４０を身体側に押し上げて、吸収性物品１と身体に隙間を作らず密着させ続けるよう、吸収性物品１を下着等と固定するために形成される。本実施形態においては、粘着部８は、裏面シート３における外側（下着側）に、第２の防液溝６の形成位置に相当する位置の外側に形成される。
【００７８】
本実施形態における粘着部８は、吸収性物品１における長手方向前側に形成される前方側粘着部８１と、長手方向後方側に形成される後方側粘着部８５と、前方側粘着部８１と後方側粘着部８５との間に形成される非粘着部８３とを備える。
【００７９】
中央吸収部４０における略中央域に非粘着部８３を設けることで、下着等の動きを束縛せず、身体側への変形等を補助することができる。具体的には、該非粘着部８３においては吸収性物品１を下着等に固定していないため、身体側への密着性や、例えば、寝返り等の動きによる追従性が向上する。これにより、例えば、仰向けでの寝姿勢において多く発生する後ろからの漏れや、斜め後ろからの漏れを抑制することができる。
【００８０】
また、非粘着部８３は、使用態様における会陰部から肛門部に対応する長手方向の位置に形成することができる。
【００８１】
［４］各構成物
以下に、各構成物について詳述する。
表面シート２は、多数の液透過孔が形成された樹脂フィルム、多数の網目を有するネット状シート、液透過性の不織布、または織布などで形成される。前記樹脂フィルムやネット状シートは、ポリプロピレン（ＰＰ）、ポリエチレン（ＰＥ）、ポリエチレンテレフタレート（ＰＥＴ）などで形成されたものを使用できる。また不織布としては、レーヨンなどのセルロース繊維、合成樹脂繊維などから形成されたスパンレース不織布、前記合成樹脂繊維で形成されたエアスルー不織布などを用いることができる。また、素材として、ポリ乳酸、キトサン、ポリアルギン酸などの生分解性が可能な天然物を用いることもできる。また、多数の液透過孔を形成すると共に、シリコーン系やフッ素系の撥水性油剤を塗布して、その外面に体液が付着しにくいものとしてもよい。
【００８２】
また、目付は１５〜１００ｇ／ｍ２が好ましく、２０〜５０ｇ／ｍ２がより好ましい。０．４〜２．０ｍｍの嵩を有し、更に不織布繊維の芯鞘構造の芯部に酸化チタンが１．０％以上含有されているものであることで、使用中のへたりが少なく、吸収体４との距離を稼ぐように形成できる。更に、表面シート２自体も隠蔽性を高めることができる。また、撥水性の繊維を３０％までいれることにより、表面シート２の拡散性を抑える効果があり、かつ、撥水繊維をブレンドすることにより、吸収体４からの液体の吸い上げを抑制する効果もある。目付が１５ｇ／ｍ２以下だと表面強度が十分に得られず、使用中に破ける恐れがある。また１００ｇ／ｍ２以上の場合、過度のごわつきが発現し、使用中に違和感を生じる。また、密度は０．１２ｇ／ｃｍ３以下で液透過性であれば特には限定されない。密度がこれ以上の場合、表面シート２の繊維間をスムーズに透過することが難しい。経血の場合、尿などにくらべ粘性が高く、極力密度が低いものが良い。
【００８３】
また、表面シート２が、上述した多数の液透過孔が形成されたフィルム等である開孔フィルムである場合、開孔径は０．０５ｍｍ以上３ｍｍ以下の範囲内、ピッチは、０．２ｍｍ以上１０ｍｍ以下の範囲内、開孔面積率は、３％以上３０％以下の範囲内であることが好ましい。製法としては、予め開孔条件を変化させたパターンドラムにフィルムを通紙し、サクション吸引することで開孔するいわゆるＰＦＷ法や、均一な開孔条件を有するＰＦＷ法で得られた表面シート２の折り目線を跨ぐ領域に、ピンエンボス加工によって開孔をさらに付加する方法などが挙げられる。開孔の配列は千鳥状、格子状、波状など特に限定されない。また、開孔の形状としては、丸型、楕円型、四角型などが挙げられる。また、開孔部の周縁に弁が備えられていても良い。表面シート２として、好ましくは有孔または無孔の不織布や多孔性プラスティックシートを用いることができる。
【００８４】
表面シート２の好適な例として、例えば、熱融着繊維をエアスルー等の手段で結合した２層構造の融着シートを用いることができる。該シートは、構成繊維の繊維系が４デニール以下の親水性繊維、撥水性繊維で構成されている。詳しくは、表面繊維層がポリエチレン／ポリエステルの２成分複合繊維で、裏面繊維層がポリエチレン／ポリエステル、ポリエチレン／ポリプロピレンの２成分複合繊維で構成されている。また、該シートの目付は、１０〜４０ｇ／ｍ２である。この目付が４０ｇ／ｍ２を超えてしまうと、液体を表面シート２で保持してしまいベタベタした状態で維持され続け、不快に感じるようになってしまう。
【００８５】
裏面シート３は、吸収体４に吸収された排泄物が外へ漏れ出すのを防止できる材料が使用される。また、透湿性素材とすることにより、装着時のムレを低減させることができ、装着時における不快感を低減させることが可能となる。このような材料としては、例えば、ポリエチレン（ＰＥ）、ポリプロピレン（ＰＰ）等を主体とした液不透過性フィルム、通気性フィルム、スパンボンドなどの不織布の片面に液不透過性フィルムをラミネートした複合シートなどが挙げられる。好ましくは、疎水性の不織布、不透水性のプラスティックフィルム、不織布と不透水性プラスティックフィルムとのラミネートシート等を用いることができる。また、耐水性の高いメルトブローン不織布や強度の強いスパンボンド不織布で挟んだＳＭＳ不織布でも良い。
【００８６】
また、表面シート２と吸収体４との間に、液透過性シートからなる不図示のセカンドシートを更に配置することができる。セカンドシートに使用される材料としては、表面シート２と同様に多数の液透過孔が形成された樹脂フィルム、多数の網目を有するネット状シート、液透過性の不織布、または織布などで形成される。前記樹脂フィルムやネット状シートは、ポリプロピレン（ＰＰ）、ポリエチレン（ＰＥ）、ポリエチレンテレフタレート（ＰＥＴ）などで形成されたものを使用できる。また不織布としては、レーヨンなどのセルロース繊維、合成樹脂繊維などから形成されたスパンレース不織布、前記合成樹脂繊維で形成されたエアスルー不織布などを用いることができる。また、このセカンドシートは、吸収体４の支持体としての役割を果たし、吸収体４に柔軟性と形態安定性の付与することができる。
【００８７】
セカンドシートは、所定のホットメルト接着剤により、表面シート２と貼り合わされる。例えば、セカンドシートの幅方向における中央部に、長手方向に細く延びる複数の線を形成するようにホットメルト接着剤が塗工される。
【００８８】
吸収体４は、表面シート２側に配置されるクッションと、吸収体材料とで構成される。吸収体材料は、経血等の液体を吸収して保持する機能を有するもので、嵩高であり、型崩れし難く、化学的刺激が少ないものであることが好ましい。例えば、フラッフ状パルプもしくはエアレイド不織布と高吸収ポリマーとからなる吸収対材料を例示できる。フラッフ状パルプとしては、例えば、化学パルプ、セルロース繊維、レーヨン、アセテート等の人工セルロース繊維を例示できる。エアレイド不織布としては、例えば、パルプと合成繊維とを熱融着させまたはバインダーで固着させた不織布を例示できる。高吸収ポリマーとしては、例えば、デンプン系、アクリル酸系、アミノ酸系の粒子状または繊維状のポリマーを例示できる。また、不織布としては、例えば、スパンレース、スパンボンド、サーマルボンド、メルトブローン、ニードルパンチ、エアースルー等の不織布が用いられる。不織布を構成する素材繊維としてはポリエチレンまたはポリプロピレン等のオレフィン系、ポリエステル系、ポリアミド系等の合成繊維の他、レーヨンやキュプラ等の再生繊維、綿等の天然繊維を例示できる。クッションとしては、例えば、液透過性の紙やセルロースシートが使用される。クッションと吸収体材料とが組み合わされた吸収体４の一例として、パルプは目付２００ｇ／ｍ２、ポリマーは目付４ｇ／ｍ２（ポリマーは全体に分散している）で、パルプとポリマーが全体に均一に分布した混合体を、目付け１５ｇ／ｍ２のティッシュで包んだものが挙げられる。
【００８９】
吸収体４の形状および構造は必要に応じて変えることができるが、吸収体４の全吸収量は、吸収性物品としての設計挿入量および所望の用途に対応させる必要がある。また、吸収体４のサイズや吸収能力等は、幼児から大人までの着用者に対応して変動される。
【００９０】
中央吸収部４０は、上述の通り、排泄部に当接して主に排泄物を吸収する領域をいう。例えば、本発明における実施形態においては、第１の防液溝５に囲まれた領域である。中央吸収部４０は、上述の通り、厚さ方向において突出可能に形成されており、該突出した状態では、中央吸収部４０は排泄部に押し当てられるようにして密着される。
【００９１】
第１の防液溝５及び第２の防液溝６は、所定の圧着処理により連続して形成される圧着部９により形成される。圧着部９は、加熱ローラを用いた所定の圧着処置により形成される。例えば、吸収体４の裏面シート３側に表面がフラットなロールが当てられ、表面シート２の表面側に所定パターンの凸部を有する加熱ロールが当てられて、加圧され且つ加熱される。その結果、圧着部９では、吸収体４及び表面シート２がほぼフィルム状に圧着された高密度圧着部と、高密度圧着部と高密度圧着部との間に位置して、フィルム状にはなっていないが圧着部９以外の領域よりも高密度となった中密度圧着部が形成される。圧着部９のパターンの全ての部分において、この高密度圧着部と中密度圧着部が交互に形成されて、吸収性物品１の表面（身体側）から裏面シート３側へ窪む線状の第１の防液溝５及び第２の防液溝６が形成される。
【００９２】
第１の防液溝５及び第２の防液溝６における幅寸法Ａ１、Ｂ１は、例えば、第１実施形態の吸収性物品１において、０．５ｍｍ〜１０ｍｍ、好ましくは１ｍｍ〜５ｍｍとするのが望ましい。幅寸法Ａ１、Ｂ１が０．５ｍｍ以下の場合には、表面シート２と吸収体４を切ってしまうだけになり、中央吸収部４０の押し上げ機能がなくなる。幅寸法Ａ１、Ｂ１が１０ｍｍ以上の場合には、フィット性、使用感、吸収性等が低下してしまう。
【００９３】
また、第１の防液溝５及び第２の防液溝６の配置間距離Ｃ１は、１ｍｍ〜１０ｍｍ好ましくは５ｍｍ〜８ｍｍとするのが望ましい。配置間距離Ｃ１が１ｍｍ以下の場合には、フィット性、使用感等が低下してしまう。配置間距離Ｃ１が１０ｍｍ以上の場合には、中央吸収部４０の押し上げ機能がなくなると共に、フィット性の低下、中央吸収部４０のヨレが発生し易くなる。
【００９４】
また、第１の防液溝５における両側部４１Ａ、４１Ｂの間隔Ｄ１は、２０ｍｍ〜６０ｍｍ好ましくは３０ｍｍ〜４０ｍｍが望ましい。間隔Ｄ１が２０ｍｍ以下の場合には、中央吸収部４０が排泄部（膣口部）に当接し続けることができず、身体と吸収性物品１との隙間が発生し漏れ易くなってしまう。間隔Ｄ１が６０ｍｍ以上の場合には、大腿部から幅方向内側の力Ｆを受けても、吸収性物品１が身体側（膣口側）に凸状に変形せず、中央吸収部４０における中心部が凹状に変形して、身体と吸収性物品１との隙間が発生し漏れ易くなってしまう。
【００９５】
粘着部８における粘着体は、アクリル系粘着剤、ゴム系粘着剤などの粘着剤の他、肌に密着して接着力を発揮するセルロース系、ポリビニルアルコール系、ゼラチン、ポリグルタミン酸、ポリリジンなどのポリアミノ酸ゲルを用いることもできる。
【図面の簡単な説明】
【００９６】
【図１】本発明の第１実施形態における吸収性物品の平面図である。
【図２】本発明の第１実施形態における吸収性物品の断面図である。
【図３】本発明の第１実施形態における吸収性物品の斜視図である。
【図４】第１実施形態における吸収性物品の動きを説明するための断面図である。
【図５】図４において、幅方向内側へ力Ｆが加えられた場合の動きを説明する断面図である。
【図６】本発明の第２実施形態における吸収性物品の平面図である。
【図７】第３実施形態における吸収性物品の平面図である。
【図８】従来技術における吸収性物品の平面図である。
【図９】従来技術における吸収性物品の平面図である。
【符号の説明】
【００９７】
１    吸収性物品
２    表面シート
３    裏面シート
４    吸収体
５    第１の防液溝
６    第２の防液溝
７    支持部
８    粘着部
４０  中央吸収部
【図１】
2007125181.tif 000003
【図２】
2007125181.tif 000004
【図３】
2007125181.tif 000005
【図４】
2007125181.tif 000006
【図５】
2007125181.tif 000007
【図６】
2007125181.tif 000008
【図７】
2007125181.tif 000009
【図８】
2007125181.tif 000010
【図９】
2007125181.tif 000011